【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
被写体を撮影して、ＲＡＷ静止画像データを出力する撮像手段と、
前記ＲＡＷ静止画像データの撮影時に、撮影環境に依存して変化する情報を含むパラメータであって、前記ＲＡＷ静止画像データの現像処理に用いるパラメータである現像パラメータを作成する作成手段と、
前記撮像手段から出力されたＲＡＷ静止画像データを記憶部に保存する際に、該ＲＡＷ静止画像データの撮影時に作成された現像パラメータを、該ＲＡＷ静止画像データの現像処理に利用可能な第１現像パラメータとして前記記憶部に保存するとともに、他の時刻に作成された現像パラメータを、該ＲＡＷ静止画像データの現像処理に利用可能な第２現像パラメータとして前記記憶部に更に保存する保存手段と、
を有する
ことを特徴とする撮像装置。
【請求項２】
前記撮影環境に依存して変化する情報は、ホワイトバランスを決定する設定値である
ことを特徴とする請求項１に記載の撮像装置。
【請求項３】
前記保存手段は、前記第１現像パラメータに含まれる設定値との差分が所定の閾値より大きい設定値を含む現像パラメータを、前記第２現像パラメータとして保存する
ことを特徴とする請求項２に記載の撮像装置。
【請求項４】
前記保存手段は、前記第１現像パラメータに含まれる設定値との差分が所定の閾値より大きい設定値を含み、且つ、前記保存するＲＡＷ静止画像データの撮影時刻に最も近い時刻に作成された現像パラメータを、前記第２現像パラメータとして保存する
ことを特徴とする請求項３に記載の撮像装置。
【請求項５】
前記保存手段は、互いに異なる時刻に作成された複数の現像パラメータを、前記第２現像パラメータとして保存する
ことを特徴とする請求項１〜４のいずれか１項に記載の撮像装置。
【請求項６】
前記第２現像パラメータは、
電子ビューファインダ表示用に作成された現像パラメータ、
動画撮影用に作成された現像パラメータ、及び、
保存するＲＡＷ静止画像データと異なるＲＡＷ静止画像データの撮影時に作成された現像パラメータ、
のうちの少なくとも１つの現像パラメータである
ことを特徴とする請求項１〜５のいずれか１項に記載の撮像装置。
【請求項７】
前記保存手段は、前記ＲＡＷ静止画像データ、前記第１現像パラメータ、及び、前記第２現像パラメータを互いに関連付けて保存する
ことを特徴とする請求項１〜６のいずれか１項に記載の撮像装置。
【請求項８】
被写体を撮影して、ＲＡＷ静止画像データを出力する撮影ステップと、
前記ＲＡＷ静止画像データの撮影時に、撮影環境に依存して変化する情報を含むパラメータであって、前記ＲＡＷ静止画像データの現像処理に用いるパラメータである現像パラメータを作成する作成ステップと、
前記出力されたＲＡＷ画像データを記憶部に保存する際に、該ＲＡＷ静止画像データの撮影時に作成された現像パラメータを、該ＲＡＷ静止画像データの現像処理に利用可能な第１現像パラメータとして前記記憶部に保存するとともに、他の時刻に作成された現像パラメータを、該ＲＡＷ静止画像データの現像処理に利用可能な第２現像パラメータとして前記記憶部に更に保存する保存ステップと、
を有する
ことを特徴とする撮像装置の制御方法。
【請求項９】
前記撮影環境に依存して変化する情報は、ホワイトバランスを決定する設定値である
ことを特徴とする請求項８に記載の撮像装置の制御方法。
【請求項１０】
前記保存ステップでは、前記第１現像パラメータに含まれる設定値との差分が所定の閾値より大きい設定値を含む現像パラメータを、前記第２現像パラメータとして保存する
ことを特徴とする請求項９に記載の撮像装置の制御方法。
【請求項１１】
前記保存ステップでは、前記第１現像パラメータに含まれる設定値との差分が所定の閾値より大きい設定値を含み、且つ、前記保存するＲＡＷ静止画像データの撮影時刻に最も近い時刻に作成された現像パラメータを、前記第２現像パラメータとして保存する
ことを特徴とする請求項１０に記載の撮像装置の制御方法。
【請求項１２】
前記保存ステップでは、互いに異なる時刻に作成された複数の現像パラメータを、前記第２現像パラメータとして保存する
ことを特徴とする請求項８〜１１のいずれか１項に記載の撮像装置の制御方法。
【請求項１３】
前記第２現像パラメータは、
電子ビューファインダ表示用に作成された現像パラメータ、
動画撮影用に作成された現像パラメータ、及び、
保存するＲＡＷ静止画像データと異なるＲＡＷ静止画像データの撮影時に作成された現像パラメータ、
のうちの少なくとも１つの現像パラメータである
ことを特徴とする請求項８〜１２のいずれか１項に記載の撮像装置の制御方法。
【請求項１４】
前記保存ステップでは、前記ＲＡＷ静止画像データ、前記第１現像パラメータ、及び、前記第２現像パラメータを互いに関連付けて保存する
ことを特徴とする請求項８〜１３のいずれか１項に記載の撮像装置の制御方法。
【手続補正２】
【補正対象書類名】明細書
【補正対象項目名】０００７
【補正方法】変更
【補正の内容】
【０００７】
本発明の撮像装置は、
被写体を撮影して、ＲＡＷ静止画像データを出力する撮像手段と、
前記ＲＡＷ静止画像データの撮影時に、撮影環境に依存して変化する情報を含むパラメータであって、前記ＲＡＷ静止画像データの現像処理に用いるパラメータである現像パラメータを作成する作成手段と、
前記撮像手段から出力されたＲＡＷ静止画像データを記憶部に保存する際に、該ＲＡＷ静止画像データの撮影時に作成された現像パラメータを、該ＲＡＷ静止画像データの現像処理に利用可能な第１現像パラメータとして前記記憶部に保存するとともに、他の時刻に作成された現像パラメータを、該ＲＡＷ静止画像データの現像処理に利用可能な第２現像パラメータとして前記記憶部に更に保存する保存手段と、
を有する
ことを特徴とする。
【手続補正３】
【補正対象書類名】明細書
【補正対象項目名】０００８
【補正方法】変更
【補正の内容】
【０００８】
本発明の撮像装置の制御方法は、
被写体を撮影して、ＲＡＷ静止画像データを出力する撮影ステップと、
前記ＲＡＷ静止画像データの撮影時に、撮影環境に依存して変化する情報を含むパラメータであって、前記ＲＡＷ静止画像データの現像処理に用いるパラメータである現像パラメータを作成する作成ステップと、
前記出力されたＲＡＷ画像データを記憶部に保存する際に、該ＲＡＷ静止画像データの撮影時に作成された現像パラメータを、該ＲＡＷ静止画像データの現像処理に利用可能な第１現像パラメータとして前記記憶部に保存するとともに、他の時刻に作成された現像パラメータを、該ＲＡＷ静止画像データの現像処理に利用可能な第２現像パラメータとして前記記憶部に更に保存する保存ステップと、
を有する
ことを特徴とする。
【手続補正４】
【補正対象書類名】明細書
【補正対象項目名】００１４
【補正方法】変更
【補正の内容】
【００１４】
そして、現像パラメータ作成部１１は、ＥＶＦ表示を行う場合（ＲＡＷ画像データに基づく画像を表示パネル１４（電子ビューファインダ）に表示する場合）には、現像部１２へＲＡＷ画像データと現像パラメータを送信する。また、画像データの保存（静止画撮影、動画撮影）を行う場合であって、且つ、画像データの保存形式としてＲＡＷ画像データが選択されている場合には、蓄積部１３へＲＡＷ画像データと現像パラメータを送信する。現像パラメータ作成部１１は、用途に応じて現像パラメータを作成する。具体的には、
現像パラメータは、電子ビューファインダ表示用（ＥＶＦ表示用）、動画撮影用、静止画撮影用で、解像度や露出などが異なる。ＥＶＦ表示用のＲＡＷ画像データ、動画撮影用のＲＡＷ画像データ、静止画撮影用のＲＡＷ画像データが全て同じ解像度であってもよいが、それぞれ異なる解像度であってもよい。ＥＶＦ表示用のＲＡＷ画像データ、動画撮影用のＲＡＷ画像データ、静止画撮影用のＲＡＷ画像データの解像度が異なる場合は、現像パラメータ作成部１１が解像度変換機能を有し、最も高解像度の静止画撮影用のＲＡＷ画像データを低解像度化して、ＥＶＦ表示用および動画撮影用のＲＡＷ画像データを生成する。例えば、画像データの解像度の大小関係は、「ＥＶＦ表示用のＲＡＷ画像データの解像度」＜「動画撮影用のＲＡＷ画像データの解像度」＜「静止画撮影用のＲＡＷ画像データの解像度」となる。ＥＶＦ表示用のＲＡＷ画像データからＥＶＦ表示用現像パラメータが作成され、動画撮影用のＲＡＷ画像データから動画撮影用現像パラメータが作成され、静止画撮影用のＲＡＷ画像データから静止画撮影用の現像パラメータが作成される。また、現像パラメータ作成部１１は、撮像装置１００全体の制御も行う。